(57)【特許請求の範囲】
【請求項１】
被包食品を包装するために用いられる被包食品用の包装シートであって、破断手段を備えた被包食品を包装するためのシート本体を備えて構成され、上記シート本体は、紙素材を含む一対の紙様シート体と、一対の紙様シート体間に介設された合成樹脂製の帯状フィルムとによって形成され、上記破断手段はフィルムの長手方向に延びるように当該フィルムに一体に積層されていることを特徴とする被包食品用の包装シート。
【請求項２】
上記シート本体は、外側シート体と、この外側シート体に積層された、内面側が直接接触した状態で被包食品を包む合成樹脂製の内側シート体とを備え、内側シート体は、上記破断手段の位置で各対向縁部が重なり合うように分離された一対の内側シート片によって形成され、各内側シート片は、上記対向縁部を除く周縁部が外側シート体の周縁部に一体に接続されていることを特徴とする請求項１記載の被包食品用の包装シート。
【請求項３】
上記紙様シート体は、中間シート体と、この中間シート体に積層された内面側となる合成樹脂製の第一フィルムと、上記中間シート体に積層された外面側となる合成樹脂製の第二フィルムとの三層構造で構成されていることを特徴とする請求項１または２記載の被包食品用の包装シート。
【発明の詳細な説明】
【０００１】
【発明の属する技術分野】
本発明は、握り飯、握り寿司、巻き寿司、サンドイッチ、各種の菓子類あるいはハンバーグステーキ等のいわゆる被包食品を包装するために用いられる被包食品用の包装シートに関するものである。
【０００２】
【従来の技術】
従来、図７に示すような被包食品の一種である握り飯Ｒ０を包装するための包装シート１００が知られている。この包装シート１００は、図７の（イ）に示すように、展開状態で矩形を呈する各角部が切り欠かれた形状を有し、合成樹脂製の薄い透明フィルムからなる外側フィルム１１０と、この外側フィルム１１０に積層された、外側フィルム１１０と同一材料製の内側フィルム１２０とからなる基本構成を有している。
【０００３】
上記外側フィルム１１０は、その内面側（図７の（イ）の上面側）幅方向中央位置に貼設された長手方向の全長に亘って延びるカットテープ１１１を有している。また、外側フィルム１１０の短尺側の一方の縁部におけるカットテープ１１１の両側には一対の切込み１１２が設けられ、これによって切込み１１２間に指で摘み得る摘持片１１３が形成されている。
【０００４】
上記内側フィルム１２０は、摘持片１１３に対応した部分でカットテープ１１１に沿うように互いに重ね合わされた重ね合せ部１２３を有する幅方向一対の片割れ内側フィルム１２１，１２２（左片割れ内側フィルム１２１および右片割れ内側フィルム１２２）によって構成されている。
【０００５】
そして、外側フィルム１１０の内面側に各片割れ内側フィルム１２１，１２２からなる内側フィルム１２０を積層した状態で摘持片１１３を残してこれらの縁部を環状に溶着して溶着部１３０（点描で表示）を形成することにより、図７の（イ）に示すような包装シート１００を得ることができる。
【０００６】
このような包装シート１００の左片割れ内側フィルム１２１と右片割れ内側フィルム１２２との重ね合せ部１２３における隙間からシート状海苔１４０を包装シート１００内に挿入した状態で、内側フィルム１２０側の中央位置に、図７の（イ）に二点鎖線で示すように握り飯Ｒ０を幅方向に横断載置し、包装シート１００の長手方向の両端部を折り曲げて握り飯Ｒ０を包み、スポット溶着処理で止めることにより、図７の（ロ）に示すように、握り飯Ｒ０が包装シート１００によって包装されたシート状海苔１４０付きの包装食品Ｒ１ができあがる。
【０００７】
かかる包装食品Ｒ１によれば、摘持片１１３を指で摘んで図７の（ロ）の矢印方向に向けて当該摘持片１１３を引けば、丈夫なカットテープ１１１に誘導されて外側フィルム１１０は切込み１１２が伸長するように分断され、これによって握り飯Ｒ０は、二分された外側フィルム１１０と、元々二分されている各片割れ内側フィルム１２１，１２２とによって包まれた状態になる。そして、二分された各外側フィルム１１０および各片割れ内側フィルム１２１，１２２を左右に開いて分割すれば、シート状海苔１４０が残留して海苔で覆われた状態の握り飯Ｒ０が得られることになる。
【０００８】
【発明が解決しようとする課題】
ところで、上記のような従来の包装シート１００にあっては、外側フィルム１１０として合成樹脂製の透明なものが採用されているため、内部の被包食品（図７の例ではシート状海苔１４０）がそのままの状態で透視され、これによって包装食品Ｒ１が安っぽく見えるという不都合が存在する。
【０００９】
このような不都合を解消するために、外側フィルム１１０として和紙などの材料を使用することが考えられる。こうすることで包装シートによって包装された握り飯Ｒ０は、外部から直に見えなくなるが、和紙などの紙材料は丈夫であるため、カットテープ１１１を使ったワンタッチ解袋を可能とするためには、カットテープ１１１に沿ったミシン目の形成が必須になる。しかし、外側フィルム１１０にミシン目を設けると、包装内部に対する湿気の出入でシート状海苔Ｎを湿らせたり、微生物の侵入で不衛生になる等の新たな問題点が提起される。
【００１０】
本発明は、上記のような問題点を解消するためになされたものであり、包装食品に高級感を付与した上で被包食品の変質等を有効に抑えることができ、さらに分断が容易な被包食品用の包装シートを提供することを目的としている。
【００１１】
【課題を解決するための手段】
請求項１記載の発明は、被包食品を包装するために用いられる被包食品用の包装シートであって、破断手段を備えた被包食品を包装するためのシート本体を備えて構成され、上記シート本体は、紙素材を含む一対の紙様シート体と、一対の紙様シート体間に介設された合成樹脂製の帯状フィルムとによって形成され、上記破断手段はフィルムの長手方向に延びるように当該フィルムに一体に積層されていることを特徴とするものである。
【００１２】
この発明において破断手段とは、シート本体の分断を援助するためのものであり、例えばシート本体を横断して帯状に当該シート本体の裏面側に積層される、引張り応力がシート本体のそれより大きい合成樹脂製のテープを用いるのが一般的である。かかる破断手段の存在により、シート本体によって被包食品を包んだ状態で破断手段を外側に向かって引張ることにより、シート本体における破断手段の両側部分が破断されて帯状に捲られ、これによるシート本体の分断で包装された被包食品を容易に取り出すことができる。
【００１３】
また、この発明において紙素材を含む紙様シート体という概念には、和紙等の天然紙そのものや、アセチルセルロース等のセルロース誘導体を原料としたいわゆる合成紙そのものが含まれるのはもちろんのこと、かかる天然紙や合成紙に通常の合成樹脂フィルムが積層されたものも含まれる。
【００１４】
そして、この発明によれば、シート本体によって包装された被包食品は、外面のほとんどが不透明な紙様シートによって覆われているため、シート本体が透明な場合には被包食品が透けて見苦しく、商品が安っぽく見えるような不都合が解消されるばかりか、逆に高級感が付与され、これによって包装食品の商品価値が上がる。
【００１５】
しかも、一対の紙様シート体間には帯状フィルムが介設され、この帯状フィルムに破断手段が一体に積層されているため、破断手段を外側に向けて引張ることにより当該破断手段に誘導されて分断されるため、一対の紙様シート体は容易に左右に分断される。
【００１６】
請求項２記載の発明は、請求項１記載の発明において、上記シート本体は、上記紙様シート体からなる外側シート体と、この外側シート体に積層された、内面側が直接接触した状態で被包食品を包む合成樹脂製の内側シート体とを備え、内側シート体は、上記破断手段の位置で各対向縁部が重なり合うように分離された一対の内側シート片によって形成され、各内側シート片は、上記対向縁部を除く周縁部が外側シート体の周縁部に一体に接続されていることを特徴とするものである。
【００１７】
この発明によれば、被包食品は、内側シート体に当接されるようにして包装シートで包装されることにより、内側シート体とシート本体とによって二重に包まれた状態になり、包装フィルム内への微生物の侵入が有効に抑止された衛生的なものになるとともに、外側が透明な紙様シート体によって覆われているため、高級感が付与されて商品価値が上がる。
【００１８】
そして、内側シート体と外側シート体との間にシート状食品を装填した状態で、破断手段の引張り操作により外側シート体を分断し、その後、分断された各片割れを左右に引き離すことにより、被包食品は、シート状食品に包まれた状態で包装シートから外される。
【００１９】
なお、この発明の包装シートを、内側シート体と外側シート体との間に被包食品を介在させて包装するような用い方をしてもよい。このような包装方法が採用された場合には、商品としての包装食品を、外側シート体が上側に位置するように陳列すればよい。こうすることによって外側シート体を目立たせることができるため、包装食品の高級感が損なわれることはない。
【００２０】
請求項３記載の発明は、請求項１または２記載の発明において、上記紙様シート体は、内面側となる合成樹脂製の第一フィルムと、この第一フィルムに積層された紙素材製の中間シート体と、この中間シート体に積層された外面側となる合成樹脂製の第二フィルムとの三層構造で構成されていることを特徴とするものである。
【００２１】
この発明によれば、紙素材製の中間シート体を合成樹脂製の第一フィルムと第二フィルムとの間に密着挟持させることにより、包装シートで被包食品を包んだ状態で互いに重なり合った部分に仮止め的な溶着処理を施すことが可能であり、包装処理の容易化が実現する。
【００２２】
【発明の実施の形態】
図１は、本発明に係る包装シート１０の第一実施形態を示す一部切欠き斜視図であり、図２は、そのＡ−Ａ線断面図である。この実施形態の包装シート１０は握り飯Ｒ０用のものである。
【００２３】
まず、図１に示すように、包装シート１０は、平面視で矩形状の四隅部が斜めに切り欠かれて八角形状に形成されている。かかる包装シート１０は、握り飯Ｒ０を包んだ状態で外面側に位置する外側シート体２０と、この外側シート体２０の内面側（図１の上側）に積層された内側フィルム（内側シート体）３０と、外側シート体２０の幅方向の中央部で長手方向に延びるように当該外側シート体２０の内面側に積層されたカットテープ（破断手段）４０とからなる基本構成を備えている。
【００２４】
上記外側シート体２０は、幅寸法が包装シート１０の幅寸法の１／２より若干狭い左シート体２０ａと、同右シート体２０ｂと、各シート体２０ａ，２０ｂ間に介設された帯状フィルム５０とからなっている。そして、帯状フィルム５０が各シート体２０ａ，２０ｂの対向縁部の内面側（図１および図２の上面側）間に架設された状態で溶着または接着処理が施されることにより外側シート体２０が形成されている。
【００２５】
そして、帯状フィルム５０の両端部には、外縁から所定寸法だけ切り込まれて形成した幅方向一対の切込部２４が設けられているとともに、これら切込部２４間に指で摘み得る摘み片２５が形成されている。
【００２６】
上記各シート体２０ａ，２０ｂは、本実施形態においては、内側となる第一フィルム２１と、この第一フィルム２１の外面側（図１および図２の下側）に所定のコーティング処理により積層された中間シート体（紙様シート体）２２と、さらにこの中間シート体２２の外面側にコーティング処理により積層された第二フィルム２３とからなっている。
【００２７】
上記第一フィルム２１、第二フィルム２３および帯状フィルム５０は、ポリエチレンやポリプロピレン等の通常の熱可塑性合成樹脂の薄いフィルムによって形成されているのに対し、中間シート体２２は、和紙状に形成されたいわゆるレーヨン紙が採用され、これによって中間シート体２２の表裏面には、和紙のような漉き模様が形成され、この漉き模様が第二フィルム２３を介して透けて見えることにより、包装シート１０が高級感に富んだものになるようにしている。
【００２８】
上記中間シート体２２が通常の熱可塑性合成樹脂製の第一フィルム２１および第二フィルム２３によって挟持されているのは以下の理由による。すなわち、包装シート１０で握り飯Ｒ０を包装すると、図３に示すように、包装シート１０の表裏が互いに重なり合った状態（重なり合う態様としては、外側シート体２０の内面側と内側フィルム３０との重なり合い、および外側シート体２０の外面側と内側フィルム３０との重なり合いがある）になるため、かかる重なり合い状態で包装が解けるのを防止するべく重なり合った部分の溶着処理を行おうとすれば、材料的にスポット的な溶着処理が困難な中間シート体２２の表裏に溶着処理が容易な合成樹脂材料からなる第一フィルム２１および第二フィルム２３を積層する必要があるからである。
【００２９】
また、第二フィルム２３は、その表面側にマット処理が施され、これによる艶消し処理で半透明になっている。これによって、中間シート体２２の表面の漉き模様は、この半透明の第二フィルム２３を通して視認されるため、ぼんやりとした情緒が醸し出され、これによって包装シート１０がさらに高級感にあふれたものになる。
【００３０】
上記カットテープ４０、長手方向に向けて一軸延伸処理が施された所定の合成樹脂材料によって形成され、これによって長手方向に向かう引張り応力が幅方向に向かう引張り応力より大きくされてちぎれ難くなっている。かかるカットテープ４０は、上記帯状フィルム５０の内面側（図１および図２の上面側）の幅方向の中央位置で長手方向の全長に亘って溶着または接着されている。
【００３１】
したがって、カットテープ４０と共に摘み片２５を指で摘んで外方に向けて引っ張ることにより、帯状フィルム５０はカットテープ４０に誘導されつつ左右のシート体２０ａ，２０ｂの対向縁部に対応した部分が破断されて外側シート体２０は左右に分断されることになる。
【００３２】
上記内側フィルム３０は、左右対象に形成された一対の内側フィルム片（内側シート片）３０ａ，３０ｂ（左内側フィルム片３０ａおよび右内側フィルム片３０ｂ）によって構成されている。各内側フィルム片３０ａ，３０ｂは、幅寸法が外側シート体２０の幅寸法の１／２より若干幅広に寸法設定され、これによって各内側フィルム片３０ａ，３０ｂが外側シート体２０の第一フィルム２１側に重ねられた状態で、幅方向の中央部に長手方向に延びる重ね合せ部３１が形成されるようになされている。
【００３３】
そして、このような内側フィルム３０がカットテープ４０および帯状フィルム５０の設けられた外側シート体２０の第一フィルム２１側に積層された状態でこれらの周縁部が溶着処理されることにより、図１および図２に示すような、周縁部に溶着帯３２の形成された包装シート１０が形成されることになる。包装シート１０が形成された状態で、外側シート体２０と内側フィルム３０との間には、周りが溶着帯３２によって閉止されているとともに、重ね合せ部３１に開口を有する収納空間３３が形成されている。
【００３４】
本実施形態においては、この収納空間３３にシート状食品としてのシート状海苔Ｎが装填されている。このシート状海苔Ｎは、包装シート１０の製造工程において予め第一フィルム２１上に載置され、この状態で溶着帯３２の形成処理が施されることによって収納空間３３に装填されるようにしている。但し、こうする代わりに包装シート１０のみが形成された後に重ね合せ部３１を開いてここから収納空間３３内にシート状海苔Ｎを差し込むようにしてもよい。
【００３５】
上記第一フィルム２１、第二フィルム２３、内側フィルム３０および帯状フィルム５０は、比較的軟化点の低い熱可塑性合成樹脂によって形成されている。かかる熱可塑性合成樹脂としては、所定の軟化点になるように調製されたポリエチレン（ＰＥ）、ポリプロピレン（ＰＰ）、ポリビニルクロライド（ＰＶＣ）、ポリアミド（ＰＡ）、ポリ塩化ビニリデン（ＰＶＤＣ）あるいはエチレン酢酸ビニル共重合体（ＥＶＡ）等が好適に使用される。
【００３６】
また、中間シート体２２としては、アセチルセルロース、酢酸・硝酸セルロース、メチルセルロース、エチルセルロースあるいはカルボキシルメチルセルロース等のいわゆるセルロース誘導体からなる、レーヨン紙と通称される合成樹脂が好適に使用される。かかるセルロース誘導体からなる中間シート体２２の製造工程において漉き模様を付与する所定の処理が施されることにより中間シート体２２は高級感を醸し出し得るものとなる。
【００３７】
上記マット処理としては、第二フィルム２３の表面に砂を吹き付けるサンドブラスト法、アルカリけん化液や有機溶剤で第二フィルム２３の表面をエッチングするエッチングマット法、表面にマット剤をコーティングしてマット化するマット剤コーティング法、あるいは第二フィルム２３を梨地や漉き模様等の艶消し用の表面を備えたロールに通すマットロール法等を挙げることができる。
【００３８】
そして、本実施形態においてはマットロール法が採用されている。具体的には、張設状態で移動している中間シート体２２の表面に所定の供給ロールを介して溶融状態の第二フィルム２３の原料を供給し、中間シート体２２の表面に積層された均一厚みのコーティング層が固化する前に当該コーティング層を回転しているマッドロールに潜らせることによるプレス処理でマッドロール表面の艶消し模様を第二フィルム２３に転写するようにしている。
【００３９】
図３は、握り飯Ｒ０が包装シート１０によって包装された状態を示す斜視図である。この図に示すように、握り飯Ｒ０が包装シート１０によって包装されることにより形成された包装食品Ｒ１は、最も外側にマット処理の施された第二フィルム２３が存在しているとともに、その下側に和紙のような漉き模様の形成された第二フィルム２３が存在しているため、従来の中身が透けて見える包装シート１００（図７）に比べて見苦しくなく、第一フィルム２１を通してぼやけた状態で中間シート体２２の漉き模様が視認されることにより優美で、かつ、高級感に富んだものになる。
【００４０】
なお、握り飯Ｒ０が包装シート１０によって包まれた状態では、熱溶着が可能な外側シート体２０の第一フィルム２１および第二フィルム２３が同内側フィルム３０と重なり合った部分が存在するため、これらの重なり合った部分の適所が互いにスポット溶着されるようにしている。こうすることによって一旦握り飯Ｒ０を包装した包装シート１０が解けるような不都合が回避される。
【００４１】
また、左右のシート体２０ａ，２０ｂは、図１に示すように、各対向縁部が長尺方向の全長に亘って帯状フィルム５０によって連結されているため、帯状フィルム５０の端部に形成された摘み片２５を摘んでカットテープ４０を外側に向けて引くことにより、図３に二点鎖線で示すように、帯状フィルム５０の両側部が破断して外側シート体２０から外れ、これによって包装シート１０は左右に分割される。
【００４２】
そして、包装シート１０が左右に分割された状態で包装シート１０の左右の片割れを互いに反対方向に引き離すことにより、元々二枚の内側フィルム片３０ａ，３０ｂから構成されている左内側フィルム片３０ａおよび右内側フィルム片３０ｂも左右に分かれて包装シート１０が左右に引き離され、これによって内部の握り飯Ｒ０を取り出し得る状態になる。
【００４３】
図４は、本発明に係る包装シートの第二実施形態を示す一部切欠き斜視図であり、図５は、そのＢ−Ｂ線断面図である。これらの図に示すように、第二実施形態の包装シート１１は、サンドイッチを対象としたものであり、平面視で左右が対象な台形状に形成されている。かかる包装シート１１は、上側シート体６０と、この上側シート体６０の下面側に積層された同形の下側フィルム（下側シート体）７０と、上記上側シート体６０の裏面側に積層された上記同様のカットテープ４０とを備えて構成されている。なお、第二実施形態においては、第一実施形態で採用されている帯状フィルム５０は採用されない。
【００４４】
上側シート体６０は、中央部で左右に分割された左シート体６０ａと右シート体６０ｂとからなっている。各シート体６０ａ，６０ｂは、内側（図４および図５における下面側）となる第一フィルム６１と、この第一フィルム６１の上面側に積層された中間シート体（紙様シート体）６２と、この中間シート体６２にさらに積層された第二フィルム６３とからなる基本構成を有している。そして、第一フィルム６１および第二フィルム６３は、先の第一実施形態の第一および第二フィルム２１，２３と同様の通常の熱可塑性の合成樹脂によって形成されているのに対し、中間シート体６２は、先の第一実施形態の中間シート体２２と同様の、表裏に和紙のような漉き模様を有するレーヨン紙によって形成されている。
【００４５】
上記第一フィルム６１は、各シート体６０ａ，６０ｂに亘って共用されて設けられ、これによって各シート体６０ａ，６０ｂは第一フィルム６１を介して互いに接続された状態になっている。
【００４６】
上記下側フィルム７０は、上記内側フィルム３０と同一の合成樹脂材料によって形成されている。かかる下側フィルム７０が上側シート体６０の下面側に積層された状態で、台形状の斜辺部分および頂辺部分が所定幅寸法で溶着処理されることにより周縁溶着帯７１が形成されているとともに、台形状の頂辺位置から若干内側に入った部分で上側シート体６０および下側フィルム７０を幅方向に横断した横断溶着帯７２が形成され、これらの周縁溶着帯７１および横断溶着帯７２によって上側シート体６０と下側フィルム７０とが一体化されている。
【００４７】
上側シート体６０と下側フィルム７０とが一体化した状態で、包装シート１１の幅方向の中央部には、第一フィルム６１のみによって形成された長手方向の全長に亘って延びる被破断帯６５が設けられている。第一フィルム６１における被破断帯６５より若干左右に幅広に広がった部分によって長手方向に延びた本発明に係る帯状フィルムが形成されている。そして、上記カットテープ４０は、かかる被破断帯６５の下面側の全長に亘って溶着または接着されることにより上側シート体６０に付与されている。
【００４８】
そして上側シート体６０と下側フィルム７０とが一体化される前に、被破断帯６５の先端部（図４の左側）には、カットテープ４０を挟んで縁部から切り込まれて形成した幅方向一対の切込み６４が設けられており、この切込み６４間の第一フィルム６１によって摘み片６６が形成されている。この摘み片６６は、上側シート体６０から被破断帯６５を剥がすためのものである。
【００４９】
このようにして得られた包装シート１１において、下側フィルム７０と上側シート体６０の第一フィルム６１との間にサンドイッチを収納するための収納空間７３が形成されているとともに、台形状の底辺部分の上側シート体６０と下側フィルム７０との間にサンドイッチを収納空間７３に装填するための装填口７４が形成されている。
【００５０】
図６は、サンドイッチＲ２が包装シート１１によって包装された状態を示す斜視図である。この図に示すように、サンドイッチＲ２が包装シート１１によって包装されることにより得られた包装食品Ｒ３は、その上半分に和紙のような漉き模様を有する上側シート体６０が存在しているため、全体的なバランス上極めて優美で、かつ、風合いを備えて高級感に富んだものになるとともに、傾斜面の幅方向の中央部に長手方向に延びる第一フィルム６１からなる透明な被破断帯６５が設けられているため、この被破断帯６５を通してサンドイッチＲ２の種類や状態を視認することが可能になり、包装シート１１は高級感と利便性とを備えたものになる。
【００５１】
かかる包装シート１１によれば、収納空間７３（図４）にサンドイッチＲ２が装填された包装シート１１の斜面部分の幅方向の中央位置に長手方向の全長に亘って薄い合成樹脂製の第一フィルム６１からなる被破断帯６５が設けられているとともに、この被破断帯６５の裏面側にはカットテープ４０が一体に積層されているため、このカットテープ４０を含む摘み片６６を摘んで外側に向けて引っ張ることにより、被破断帯６５はカットテープ４０に誘導されて当該カットテープ４０の両側部分が破断し、これによって包装シート１１の斜面部分が左右に分割される。
【００５２】
そして、包装シート１１の斜面部分が左右に分割された状態でこれらの分割された部分をそれぞれ指で摘んで互いに離間方向に引き離すことにより、包装シート１１の残りの部分も破断し、内部のサンドイッチＲ２を取り出すことができるようになる。
【００５３】
本発明は、上記の実施形態に限定されるものではなく、以下の内容をも包含するものである。
【００５４】
（１）上記の実施形態においては、中間シート体２２，６２としてレーヨン紙からなるものが採用されているが、本発明は、中間シート体２２，６２がレーヨン紙であることに限定されるものではなく、和紙等の紙材料そのものからなるものであってもよい。
【００５５】
（２）上記の第一実施形態においては、乾燥したシート状海苔Ｎを装着するべく包装シート１０を外側シート体２０と内側フィルム３０とで構成してこれらの間に収納空間３３を形成し、この収納空間３３にシート状海苔Ｎを装填することによって握り飯Ｒ０の湿気がシート状海苔Ｎに移らないようにしているが、当初から握り飯Ｒ０に海苔が巻かれて当該海苔が湿った状態になっているような海苔がウエットタイプの握り飯を包装するような場合には、シート状海苔Ｎを収納する収納空間３３が不要であるから内側フィルム３０は特に必要ではなく、外側シート体２０のみによって包装シートを構成してもよい。
【００５６】
（３）上記の実施形態においては、内側フィルム３０および下側フィルム７０として通常の透明な合成樹脂製のフィルムが用いられているが、こうする代わりに内側フィルム３０（内側シート体）および下側フィルム７０として外側シート体２０と同様の材料を用いたものを採用してもよい。こうすることによって包装シートは、全体的に和紙によって形成されているような印象を与え、包装食品Ｒ１，Ｒ３の高級感をさらに高めることができる。
【００５７】
（４）上記の実施形態においては、上側シート体６０を形成する左右のシート体６０ａ，６０ｂは、包装シート１１の全長に亘って左右に分割されているが、本発明は、各シート体６０ａ，６０ｂが全体的に左右に分割されることに限定されるものではなく、横断溶着帯７２より先端側で左右の中間シート体６２および第二フィルム６３が架橋部を介して互いに連結した二股状としてもよい。
【００５８】
【発明の効果】
請求項１記載の発明によれば、シート本体を、紙素材を含む一対の紙様シート体と、一対の紙様シート体間に介設された当該紙様シート体と略同一長さ寸法を有する合成樹脂製の帯状フィルムとを備えて構成したため、シート本体によって包装された被包食品は、外面のほとんどが不透明な紙様シートによって覆われた状態になり、シート本体が全体的に透明な場合には被包食品が全て透けて見えて見苦しく、商品が安っぽく見えるような不都合が解消されるばかりか、逆に高級感が付与され、これによって包装食品の商品価値を上げることができる。
【００５９】
しかも、一対の紙様シート体間には帯状フィルムが介設され、この帯状フィルムに破断手段が一体に積層されているため、破断手段を外側に向けて引張ることにより当該破断手段に誘導されて破断され、一対の紙様シート体を容易に左右に分断することができる。
【００６０】
請求項２記載の発明によれば、被包食品は、内側シート体に当接されるようにして包装シートで包装されることにより、内側シート体と外側シート体とによって二重に包まれた状態になり、包装フィルム内への微生物の侵入が有効に抑止された衛生的なものになるとともに、外側が紙様シート体によって覆われ、高級感が付与されて商品価値を上げることができる。
【００６１】
そして、内側シート体とシート本体との間にシート状食品を装填した状態で、破断手段の引張り操作により外側シート体を分断し、その後に破断された各片割れを左右に引き離すことにより、シート状食品に包まれた状態の被包食品を包装シートから容易に取り出すことができる。
【００６２】
請求項３記載の発明によれば、紙様シート体を、中間シート体と、この中間シート体に積層された内面側となる合成樹脂製の第一フィルムと、上記中間シート体に積層された外面側となる合成樹脂製の第二フィルムとの三層構造で構成したため、紙素材製の中間シート体を合成樹脂製の第一フィルムと第二フィルムとの間に密着挟持させることにより、包装シートで被包食品を包んだ状態で互いに重なり合った部分に仮止め的な溶着処理を施すことが可能になり、包装処理の容易化を実現することができる。
【図面の簡単な説明】
【図１】本発明に係る包装シートの第一実施形態を示す一部切欠き斜視図である。
【図２】図１に示す包装シートのＡ−Ａ線断面図である。
【図３】握り飯が包装シートによって包装された状態を示す斜視図である。
【図４】本発明に係る包装シートの第二実施形態を示す一部切欠き斜視図である。
【図５】図４に示す包装シートのＢ−Ｂ線断面図である。
【図６】サンドイッチが包装シートによって包装された状態を示す斜視図である。
【図７】従来の包装シートを例示する図であり、（イ）は、包装シートの斜視図、（ロ）は、握り飯が包装シートによって包装された状態の斜視図をそれぞれ示している。
【符号の説明】
１０，１１  包装シート（シート本体）
２０  外側シート体
２０ａ  左シート体          ２０ｂ  右シート体
２１  第一フィルム
２２  中間シート体（紙様シート体）
２３  第二フィルム          ２４  切込部
２５  摘み片
３０  内側フィルム（内側シート体）
３０ａ  左内側フィルム片
３０ｂ  右内側フィルム片
３１  重ね合せ部            ３２  溶着帯
３３  収納空間              ４０  カットテープ
５０  帯状フィルム          ６０  上側シート体
６０ａ  左シート体          ６０ｂ  右シート体
６１  第一フィルム
６２  中間シート体（紙様シート体）
６３  第二フィルム          ６４  切込み
６５  被破断帯              ６６  摘み片
７０  下側フィルム（下側シート体）
７１  周縁溶着帯            ７２  横断溶着帯
７３  収納空間              ７４  装填口
Ｎ  シート状海苔
Ｒ０  握り飯（被包食品）
Ｒ２  サンドイッチ（被包食品）
Ｒ１，Ｒ３  包装食品
【図１】
0003566246.tif 000002
【図２】
0003566246.tif 000003
【図３】
0003566246.tif 000004
【図４】
0003566246.tif 000005
【図５】
0003566246.tif 000006
【図６】
0003566246.tif 000007
【図７】
0003566246.tif 000008